(57)【要約】【課題】機器の運転条件の設定作業がやり易く、複数の機器の運転条件の設定および複数の機器の運転状態の監視を効率よく行うことができる機器管理システムを提供すること。【解決手段】ショーケースの運転条件一覧画面５０は、機器管理システム１内にある全ての店舗の店舗用コンピュータ３０の運転条件データベース３３に記録された系統番号「４」の全てのショーケースの運転条件５１をケース番号順にマトリックス形式に編集して表示したものである。ショーケースの運転条件５１の運転条件データ５３である温調設定値、徐霜復帰温度、水切り時間、高温警報温度、または低温警報温度等の設定を変更し、設定ボタン５４をクリックすると系統番号「４」の変更されたケース番号のショーケースの運転条件５１の運転条件データ５３に該当する機器管理システム１内の店舗用コンピュータ３０の運転条件データベース３３のショーケースの運転条件データ４３が変更される。【選択図】        図５
2005147477.tif 000002
【特許請求の範囲】
【請求項１】
設定された運転条件に基づいて複数台の機器を制御する機器管理システムにおいて、
複数台の機器の運転条件を各機器の識別情報に対応付けて一覧画面に表示する表示手段と、
前記表示手段に表示した一覧画面を通じて運転条件が入力された場合に該当する機器を特定し、当該機器の運転条件として設定する設定手段と
を備えることを特徴とする機器管理システム。
【請求項２】
前記複数台の機器の中から所望の機器を選択する選択手段を備え、
前記表示手段は、前記選択手段によって選択された機器の運転条件を一覧画面に表示することを特徴とする請求項１に記載の機器管理システム。
【請求項３】
複数台の機器に設定された運転状態に関するデータを収集することによってこれら複数台の機器を監視する機器管理システムにおいて、
前記複数台の機器の中から所望の機器を選択する選択手段と、
前記選択手段によって選択された機器の運転状態を各機器の識別情報に対応付けて一覧画面に表示する表示手段と
を備えることを特徴とする機器管理システム。
【請求項４】
前記複数台の機器は予めグループとして設定されたものであり、
前記選択手段は、グループが選択された場合に当該グループに属する複数台の機器を一括選択することを特徴とする請求項２または３に記載の機器管理システム。
【請求項５】
ユーザの認証を行うユーザ認証手段と、
前記ユーザ認証手段によってユーザが認証された場合に、以降の操作内容に関わる操作データを当該ユーザの識別情報に関連付けて記憶する操作情報記憶手段と、
前記ユーザ認証手段によってユーザの認証が行われた場合に、前記操作情報記憶手段に当該ユーザの識別情報に関連付けられた操作データが存在するか否かを検索し、前記操作データが存在する場合に前記表示手段を通じてこれを一覧画面に表示させる表示制御手段と
を備えたことを特徴とする請求項１または３に記載の機器管理システム。
【請求項６】
前記操作データは、操作の頻度に関わる情報を含み、
前記表示制御手段は、前記操作データから特定される操作の頻度に応じた表示を行わせることを特徴とする請求項５に記載の機器管理システム。
【発明の詳細な説明】
【技術分野】
【０００１】
本発明は、複数台の機器の運転を管理する機器管理システムに関するものである。
【背景技術】
【０００２】
従来、スーパーマーケットやコンビニエンスストア等の店舗内に配置されたショーケース等の複数の機器は、機器に個別に設置された温度調節器や除霜用のタイマー等の制御装置によって運転されているため、機器の設置されている場所に人が出向いて１台づつ温度や除霜時間などの設定を行っていた。近年、このような労力を省くため、遠隔地に配置されたショーケース等の機器の温度や除霜時間などの運転条件を、ネットワークを介して設定するシステムもある。
【０００３】
図２１は、従来のネットワークを介してショーケースの運転条件を設定するための画面１４０を示す図である。ショーケースの運転条件設定画面１４０は、ショーケースの分類を示す系統番号１４１、系統番号に属するショーケースを特定するケース番号１４２、ショーケースの運転条件１４３となる温調設定値、徐霜復帰温度、水切り時間、高温警報温度、低温警報温度、および読出しボタン１４４、設定ボタン１４５等で構成される。
【０００４】
ショーケースの運転条件設定画面１４０でショーケースの系統番号１４１とケース番号１４２を入力して読出しボタン１４４をクリックすると、系統番号１４１とケース番号１４２で指定されたショーケースの温調設定値、徐霜復帰温度、水切り時間、高温警報温度、低温警報温度等の現在のショーケースの運転条件１４３の設定値が表示される。
【０００５】
運転条件を変更したいときは、変更を希望する図２１の温調設定値、徐霜復帰温度、水切り時間、高温警報温度、低温警報温度等のショーケースの運転条件１４３に新たな設定値を入力し、設定ボタン１４５をクリックすると、系統番号１４１とケース番号１４２で指定されたショーケースの運転条件が変更され、以降は変更された運転条件に基づいてショーケースが運転される。
【０００６】
また、ショーケース等の機器の運転状態を監視するときも同様に、遠隔地に配置された機器に取り付けたセンサ等の測定値を、ネットワークを介して受信して間接的に監視していた。
【０００７】
図２２は、従来のネットワークを介してショーケースと冷凍機の運転状態を監視するための画面１５０を示す図である。ショーケースと冷凍機の運転状態監視画面１５０は、系統番号１５１、ショーケースの状態表示欄１５２、冷凍機の状態表示欄１５３、および設定ボタン１５４等から構成される。
【０００８】
ショーケースと冷蔵機の運転状態監視画面１５０で運転状態を監視したいショーケースの系統番号１５１を入力し、設定ボタン１５４をクリックすると、入力した系統番号１５１の全てのショーケースの運転状態がケース番号順にショーケースの状態表示欄１５２に表示されるとともに、それらのショーケースに冷媒液を供給する冷凍機の運転状態が冷凍機の状態表示欄１５３に表示される。
【０００９】
このように、ネットワークを介して機器の運転条件の設定または運転状態の監視を行う機器管理システムに関連する先行技術文献情報としては次のものがある。
【００１０】
【特許文献１】特開平５−２６４１４５号公報
【特許文献２】特開２００１−１３３１００号公報
【発明の開示】
【発明が解決しようとする課題】
【００１１】
ところで、従来のような上記管理システムでは、複数台の機器の運転条件をまとめて変更するとき、例えば、図２１の運転条件設定画面１４０への画面遷移方法が１つしかないため、１台のショーケースの運転条件を変更するときの手順を機器の台数分繰り返さなければならなかった。
【００１２】
また、監視したい複数台のショーケースが同じ系統番号１５１にないときは、図２２のショーケースと冷凍機の運転状態監視画面１５０から改めて系統番号１５１を入力し直し、監視したいショーケースのケース番号をショーケースの状態表示欄１５２から捜し出して監視する作業を繰り返しながら複数台のショーケースの運転状態を監視していた。
【００１３】
このように複数台の機器の運転条件の変更ならびに運転状態の監視を行うときは、１台の機器の設定作業ならびに監視作業を行うときと同じ画面アクセスを何度も繰り返さなければならなかった。この作業はシステムの規模が大きくなるほど煩雑になり効率が悪くなるという問題があった。
【００１４】
本発明は、上記実情に鑑みて、機器が多数ある場合にもこれらを効率よく管理することができる機器管理システムを提供することを目的とする。
【課題を解決するための手段】
【００１５】
上記の目的を達成するために、本発明の請求項１に係る発明は、設定された運転条件に基づいて複数台の機器を制御する機器管理システムにおいて、複数台の機器の運転条件を各機器の識別情報に対応付けて一覧画面に表示する表示手段と、前記表示手段に表示した一覧画面を通じて運転条件が入力された場合に該当する機器の運転条件として設定する設定手段とを備えることを特徴とする。
【００１６】
また、本発明の請求項２に係る発明は、上述した請求項１において、前記複数台の機器の中から所望の機器を選択する選択手段を備え、前記表示手段は、前記選択手段によって選択された機器の運転条件を一覧画面に表示することを特徴とする。
【００１７】
また、本発明の請求項３に係る発明は、複数台の機器に設定された運転状態に関するデータを収集することによってこれら複数台の機器を監視する機器管理システムにおいて、前記複数台の機器の中から所望の機器を選択する選択手段と、前記選択手段によって選択された機器の運転状態を各機器の識別情報に対応付けて一覧画面に表示する表示手段とを備えることを特徴とする。
【００１８】
また、本発明の請求項４に係る発明は、上述した請求項２または３において、前記複数台の機器は予めグループとして設定されたものであり、前記選択手段は、グループが選択された場合に当該グループに属する複数台の機器を一括選択することを特徴とする。
【００１９】
また、本発明の請求項５に係る発明は、上述した請求項１または３において、ユーザの認証を行うユーザ認証手段と、前記ユーザ認証手段によってユーザが認証された場合に、以降の操作内容に関わる操作データを当該ユーザの識別情報に関連付けて記憶する操作情報記憶手段と、前記ユーザ認証手段によってユーザの認証が行われた場合に、前記操作情報記憶手段に当該ユーザの識別情報に関連付けられた操作データが存在するか否かを検索し、前記操作データが存在する場合に前記表示手段を通じてこれを一覧画面に表示させる表示制御手段とを備えたことを特徴とする。
【００２０】
また、本発明の請求項６に係る発明は、上述した請求項５において、前記操作データは、操作の頻度に関わる情報を含み、前記表示制御手段は、前記操作データから特定される操作の頻度に応じた表示を行わせることを特徴とする。
【発明の効果】
【００２１】
本発明に係る機器管理システムによれば、複数台の機器の運転条件を一覧画面に表示するようにしているため、複数台の機器の運転条件の設定および複数台の機器の運転状態の監視を効率よく実施することができるという効果を奏する。
【発明を実施するための最良の形態】
【００２２】
以下に添付図面を参照して、本発明に係る機器管理システムの好適な実施例を詳細に説明する。
【実施例１】
【００２３】
図１は、本発明の実施例１である機器管理システム１の構成を示すブロック図である。機器管理システム１は、１台の冷蔵／冷凍ショーケース１０を１台のショーケースコントローラ２０に接続して制御し、店舗内にある複数のショーケースコントローラ２０を店舗用コンピュータ３０と接続して店舗内ＬＡＮ４（Local Area Network）を構成し、複数の店舗（Ａ店、・・・、Ｎ店）の店舗用コンピュータ３０をネットワーク２によって本部用コンピュータ３に接続して構成されている。
【００２４】
通常、１台の冷蔵／冷凍ショーケース１０は、店舗内に設置される複数のショーケース１１と店舗外に設置される１つの冷凍機１２からなる。冷凍機１２は、低温高圧の冷媒液を生成してそれぞれのショーケース１１に供給する。
【００２５】
図２は、ショーケースコントローラ２０のブロック図である。ショーケースコントローラ２０は、ショーケースコントローラ２０を総括的に制御する制御部２１、店舗内ＬＡＮ４を介して他のショーケースコントローラ２０および店舗用コンピュータ３０と通信を行う通信部２２、メモリ２３、ショーケース監視部２４、および冷凍機監視制御部２５を備えている。
【００２６】
メモリ２３は、ショーケースコントローラ２０に制御されるそれぞれのショーケース１１および冷凍機１２の運転目標となる運転条件データを記憶する。メモリ２３に記憶されるショーケース１１の運転条件データは、機器管理システム１を立ち上げたとき、および後述するように該当するショーケース１１の運転条件データが変更されたとき、店舗用コンピュータ３０からＬＡＮ４介して送信された運転条件データを通信部２２で受信して記憶したものである。
【００２７】
ショーケース監視部２４は、ショーケース１１に取り付けられた温度センサ（図示せず）によってショーケース１１内の温度を測定してショーケースコントローラ２０に接続された全てのショーケース１１を監視する。
【００２８】
冷凍機監視制御部２５は、メモリ２３に記憶されたショーケース１１毎の運転条件データとショーケース監視部２４で測定された温度センサによるショーケース１１毎の測定値とを比較しながら、ショーケースコントローラ２０によって制御されるショーケース１１がその運転条件データに基づいて運転されるように冷凍機１２の運転状態を制御する。
【００２９】
図３は、店舗用コンピュータ３０のブロック図である。店舗用コンピュータ３０は、店舗用コンピュータ３０を総括的に制御する制御部３１、ＬＡＮ４を介して店舗内の複数のショーケースコントローラ２０と通信を行うとともに、ネットワーク２を介して本部用コンピュータ３とＥｔｅｒｎｅｔ（Ｒ）等による通信を行う通信部３２、運転条件データベース３３、表示部３４、データ入力部３５、データ出力部３６、条件データ設定部３７、条件データ編集部３８、およびメモリ３９を備えている。
【００３０】
運転条件データベース３３は、店舗内にあるショーケース１１の運転条件データを格納する。図４は、運転条件データベース３３のデータ形式を例示する図表である。運転条件データベース３３には、店舗内にあるショーケースの運転条件４０が系統番号４１順に、同じ系統番号に属するショーケースはケース番号４２順に記憶されている。この図４に示す例では、これら系統番号４１およびケース番号４２の組み合せがショーケース１１の識別情報となっている。つまり、個々のショーケースの運転条件４０は、系統番号４１およびケース番号４２からなる識別情報と、各識別情報に対応付けたショーケースの運転条件データ４３である温調設定値、徐霜復帰温度、水切り時間、高温警報温度、および低温警報温度等で構成されている。
【００３１】
系統番号４１は、ショーケースの用途を示す。例えば、系統番号「１」は青果、野菜用、系統番号「２」は惣菜用、系統番号「３」は日配、乳製品用、系統番号「４」は精肉、鮮魚用、系統番号「５」は冷凍食品用などとなる。ケース番号４２は、同じ系統番号に属するショーケースを特定するためのものである。
【００３２】
ショーケースの運転条件データ４３である温調設定値、徐霜復帰温度、水切り時間、高温警報温度、および低温警報温度は、個々のショーケース１１の運転を制御する冷凍機１２等に運転目標として設定されたデータである。例えば、温調設定値４３は、ショーケース１１の温度調整の目標となる設定値である。
【００３３】
表示部３４は、店舗コンピュータ３０に設けたディスプレイ等の表示装置およびその表示制御部を含むものであり、系統番号を指定する入力画面（図示せず）、およびショーケースの運転条件一覧画面５０等が表示される。
【００３４】
図５は、表示部３４に表示される系統番号「４」に属するショーケースの運転条件一覧画面５０を示す図である。図５では、入力画面から指定された系統番号「４」の全てのショーケースの運転条件５１の現在の設定値が表示される。ショーケースの運転条件一覧画面５０は、機器管理システム１内にある全ての店舗の店舗用コンピュータ３０の運転条件データベース３３に記録された系統番号「４」、例えば精肉、鮮魚用の全てのショーケースの運転条件５１をケース番号順にマトリックス形式に編集して表示したものである。
【００３５】
ショーケースの運転条件５１は、ショーケースの識別情報となるケース番号５２、およびこれに対応付けたショーケースの運転条件データ５３である温調設定値、徐霜復帰温度、水切り時間、高温警報温度、および低温警報温度等で構成される。ショーケースの運転条件データ５３は、運転条件データベース３３に記憶されているショーケースの運転条件データ４３である温調設定値、徐霜復帰温度、水切り時間、高温警報温度、および低温警報温度を編集して表示したものである。
【００３６】
図５においてショーケースの運転条件データ５３である温調設定値、徐霜復帰温度、水切り時間、高温警報温度、または低温警報温度等の設定を入力し、その後に設定ボタン５４をクリックすると、対応するショーケースのケース番号が特定され、この特定されたショーケースに対応する運転条件データ５３として運転条件データベース３３に更新設定される。
【００３７】
データ入力部３５は、表示部３４に表示された画面からの入力処理を行う。図６は、データ入力部３５の処理を示すフローチャートである。表示された画面から入力があれば（ステップ６０１）、入力された内容によって分岐処理を行う。すなわち、系統番号を指定する入力画面（図示せず）からの系統番号によるショーケースの運転条件一覧画面表示要求の場合（ステップ６０２）、データ出力部３６に入力された系統番号に属するショーケースの運転条件データに対して編集と出力を要求し（ステップ６０３）、処理を終了する。
【００３８】
ステップ６０２でショーケースの運転条件一覧画面５０から入力された運転条件データの変更入力であれば、運転条件を変更する系統番号とケース番号のショーケース１１が自店の運転条件データベース３３にあるときは（ステップ６０４）、条件データ設定部３７に運転条件の変更を要求する（ステップ６０５）。
【００３９】
運転条件を変更する系統番号とケース番号のショーケース１１が他の店舗内にあるときは（ステップ６０６）、通信部３２からＬＡＮ４を介して接続された他の店舗の店舗用コンピュータ３０に変更されたショーケース１１の系統番号とケース番号、および運転条件データを送信して該当するショーケース１１の運転条件データの変更を要求し（ステップ６０７）、他の店舗の店舗用コンピュータ３０から運転条件データの変更完了を受信する（ステップ６０８）。ステップ６０６で他の店舗にあるショーケース１１の運転条件の変更が全て完了すると処理を終了する。
【００４０】
条件データ設定部３７は、自店舗内の運転条件データベース３３のショーケース運転条件データ４３を変更する。図７は、自店舗内のショーケースの運転条件を変更する処理を示すフローチャートである。条件データ設定部３７は、データ入力部３５のステップ６０５からの運転条件データの変更要求を受け付け、自店舗の店舗用コンピュータ３０の運転条件データベース３３を変更する。
【００４１】
条件データ設定部３７は、運転条件を変更するショーケースがあれば（ステップ７０１）、変更を要求された系統番号およびケース番号と自店舗の運転条件データベース３３の系統番号４１およびケース番号４２とを比較し（ステップ７０２）、一致しなければ次のショーケースの運転条件４０を取り出す（ステップ７０３）。ステップ７０２で変更を要求された系統番号およびケース番号と自店舗の運転条件データベース３３の系統番号４１およびケース番号４２とが一致すれば、一致したショーケースの運転条件４０のショーケースの運転条件データ４３を変更する（ステップ７０４）。
【００４２】
次に、店舗用コンピュータ３０の通信部３２から該当するショーケースコントローラ２０にショーケースの運転条件データ４３を変更されたショーケースの運転条件４０の系統番号４１、ケース番号４２、およびショーケースの運転条件データ４３を送信する（ステップ７０５）。
【００４３】
ショーケースコントローラ２０は、通信部２２を介して運転状態を変更されたショーケースの系統番号４１とケース番号４２、およびショーケースの運転条件データ４３を受信し（ステップ７０６）、メモリ２３に記憶された系統番号４１とケース番号４２のショーケースの運転条件データ４３とを変更して（ステップ７０７）、店舗用コンピュータ３０の条件データ設定部３７に変更終了を送信する（ステップ７０８）。
【００４４】
条件データ設定部３７は、ショーケースコントローラ２０から変更終了を受信すると（ステップ７０９）、ステップ７０１に戻る。ステップ７０１で更に運転条件を変更するショーケースがあれば、ステップ７０２からの処理を繰り返す。ステップ７０１で運転条件を変更するショーケースがなくなれば、処理を終了する。
【００４５】
ショーケースコントローラ２０の冷凍機監視制御部２５は、メモリ２３に記憶されたショーケースの運転条件データ４３とショーケース監視部２４で測定された測定値を比較しながら、ショーケース監視部２４で測定された測定値がショーケースの運転条件データ４３と同じ値になるようにショーケース１１の接続される冷凍機１２等の運転状態を制御する。
【００４６】
データ出力部３６は、入力された系統番号の運転条件データの編集と出力を行う。図８は、データ出力部３６の処理を示すフローチャートである。データ出力部３６は、入力された系統番号が自店舗内の運転条件データベース３３にあるときは（ステップ８０１）、条件データ編集部３８に入力された系統番号のショーケースの運転条件４０の編集を要求する（ステップ８０２）。
【００４７】
条件データ編集部３８は、データ入力部３５からの系統番号を受け、ケース番号の指定の無い場合は、自店舗の運転条件データベース３３から入力された系統番号の全てのショーケースの運転条件４０を検索して出力する。
【００４８】
入力された系統番号が他の店舗のショーケースの系統番号にあるときは（ステップ８０３）、通信部３２からＬＡＮ４を介して順に接続された他の店舗の店舗用コンピュータ３０に、入力された系統番号に属するショーケースの運転条件４０を送信するよう要求し（ステップ８０４）、他の店舗の店舗用コンピュータ３０から入力された系統番号に属するショーケースの運転条件４０を受信する（ステップ８０５）。
【００４９】
ステップ８０５で他の店舗から入力された系統番号に属するショーケースの運転条件４０を全て受信すると、ステップ８０２で編集した自店舗内の入力された系統番号に属するショーケースの運転条件４０とステップ８０５で他の店舗から受信した入力された系統番号に属するショーケースの運転条件４０を合わせて、入力された系統番号に属するショーケースの運転条件４０をケース番号順に並べて、入力された系統番号に属するショーケースの運転条件一覧画面５０を編集し（ステップ８０６）、入力された系統番号に属するショーケースの運転条件一覧画面５０を表示部３４に表示して（ステップ８０７）、処理が終了する。
【００５０】
メモリ３９は、店舗用コンピュータ３０のプログラム等が格納される。また、データ出力部３６でショーケースの運転条件一覧画面５０を編集する際に、ＬＡＮ４を介して他の店舗用コンピュータ３０から送信されたショーケースの運転条件４０を格納して表示データを編集するとき等に使われる。
【００５１】
また、店舗用コンピュータ３０の通信部３２は、ＬＡＮ４を介して他の店舗用コンピュータ３０から運転条件データを変更する要求を受信する。通信部３２は、受信したショーケース１１の系統番号とケース番号が自店舗の運転条件データベース３３にあるときは、条件データ設定部３７に運転条件の変更を要求し、ＬＡＮ４を介して他の店舗の店舗用コンピュータ３０に他の運転条件データを変更する要求を転送する。
【００５２】
受信したショーケース１１の系統番号とケース番号が自店舗内の運転条件データベース３３にないときは、そのまま、ＬＡＮ４を介して他の店舗の店舗用コンピュータ３０に運転条件データを変更する要求を転送する。
【００５３】
また、通信部３２は、ＬＡＮ４を介して他の店舗の店舗用コンピュータ３０から運転条件データを送信する要求を受信する。通信部３２は、受信した系統番号が、自店舗内の運転条件データベース３３にあるときは、条件データ編集部３８に入力された系統番号の運転条件データの編集を要求し、ＬＡＮ４を介して他の店舗の店舗用コンピュータ３０に運転条件データを送信する要求を転送し、ＬＡＮ４を介して他の店舗の店舗用コンピュータ３０に他の運転条件データを送信する要求を転送する。
【００５４】
受信した系統番号が、自店舗内の運転条件データベース３３にないときは、そのまま、ＬＡＮ４を介して他の店舗の店舗用コンピュータ３０に運転条件データを送信する要求を転送する。
【００５５】
図９は、本部用コンピュータ３のブロック図である。本部用コンピュータ３は、本部用コンピュータ３を総括的に制御する制御部６１、ネットワーク２を介して店舗用コンピュータ３０との通信を制御する通信部６２、メモリ６３、表示部６４、データ入力部６５、およびデータ出力部６６等からなる。
【００５６】
表示部６４は、本部用コンピュータ３のディスプレイ等の表示装置であり、店舗用コンピュータ３０と同様に系統番号を指定する入力画面（図示せず）、およびショーケースの運転条件一覧画面５０等が表示される。
【００５７】
データ入力部６５は、表示部６４に表示された画面からの入力処理を行う。データ出力部６６は、入力された系統番号の運転条件データの編集と出力を行う。
【００５８】
メモリ６３は、本部用コンピュータ３のプログラム等が格納される。また、データ出力部３６でショーケースの運転条件一覧画面５０を編集する際に、ネットワーク２を介して店舗用コンピュータ３０から送信された運転条件データが格納して表示データを編集するとき等に使われる。
【００５９】
このように実施例１によれば、図５のショーケースの運転条件一覧画面５０で系統番号「４」、例えば精肉、鮮魚用として使用していた他のショーケースの運転条件データ５３を参照しながら、ショーケースの運転条件５１を設定することができるので、ショーケースの運転条件データ５３が設定しやすいし、ショーケースの運転条件データ５３の設定を誤る危険性が少ない。
【００６０】
また、実施例１によれば、系統番号「４」、例えば精肉、鮮魚用として使用していたショーケースをまとめて飲料用に変更するようなショーケースのレイアウト変更を行う場合、図５のショーケースの運転条件一覧画面５０に表示される系統番号「４」のショーケースの運転条件データ５３の温調設定値を飲料用に設定値を変更して設定ボタン５４をクリックすれば、１つの画面から系統番号「４」の複数台のショーケースを一括して飲料用に変更することができる。
【実施例２】
【００６１】
図１０は、実施例２の表示ショーケースを選択する画面７０を示す図である。表示ショーケースを選択する画面７０は表示部３４に表示される。表示ショーケース選択画面７０でショーケースの系統番号７１とケース番号７２を自由に選択して入力し、表示ボタン７３をクリックすると選択した系統番号７１とケース番号７２のショーケースの運転条件一覧画面が表示部３４に表示される。
【００６２】
図１１は、選択されたショーケースの運転条件一覧画面７４を示す図である。選択されたショーケースの運転条件一覧画面７４は、図１０によって選択された系統番号７１とケース番号７２と同じ系統番号７６とケース番号７７のショーケースの運転条件７５をマトリックス形式に編集して表示したものである。
【００６３】
個々のショーケースの運転条件７５は、個々の識別情報となる系統番号７６およびケース番号７７と、ショーケースの運転条件データ７８である温調設定値、徐霜復帰温度、水切り時間、高温警報温度、および低温警報温度とで構成される。ショーケースの運転条件一覧画面７４の運転条件データ７８である温調設定値、徐霜復帰温度、水切り時間、高温警報温度、および低温警報温度等は、機器管理システム１内の店舗用コンピュータ３０の運転条件データベース３３に記憶されているショーケースの運転条件データ４３が編集されて表示される。
【００６４】
図１１のショーケースの運転条件データ７８である温調設定値、徐霜復帰温度、水切り時間、高温警報温度、および低温警報温度等の設定を変更し、設定ボタン７９をクリックすると該当する系統番号７６と、ケース番号７７と同じ、運転条件データベース３３の系統番号４１と、ケース番号４２ショーケースの運転条件データ４３が変更される。
【００６５】
実施例２のデータ入力部３５の処理を示すフローチャートは、図６のステップ６０２に系統番号とケース番号により特定されたショーケースの運転条件一覧画面表示を追加し、系統番号とケース番号によるショーケースの運転条件一覧画面表示要求を受けてデータ出力部３６によりショーケースの運転条件データの編集と出力を行う処理を追加する。
【００６６】
さらに、データ出力部３６の処理を示す図８のフローチャートの系統番号を全て系統番号とケース番号に変更し、条件データ編集部３８の処理を、データ入力部３５から系統番号とケース番号を受け、自店舗の運転条件データベース３３を入力された系統番号とケース番号で検索してショーケースの運転条件４０を出力するように変更する。
【００６７】
実施例２によれば、複数の系統にまたがるいろいろな種類のショーケースの運転条件一覧画面１００を表示させることができるので、そのとき必要とされるショーケースの運転条件を確認または変更する作業を効率よく行うことができる。
【実施例３】
【００６８】
図１２は、実施例３の店舗用コンピュータ３０′のブロック図である。実施例３の店舗用コンピュータ３０′は、図３の店舗用コンピュータ３０にユーザ認証部３００、アクセス履歴データベース８０とユーザ別アクセスデータベース９０を新たに加えたものである。
【００６９】
ユーザ認証部３００は、ユーザが機器管理システム１にログオンする際に識別コードやパスワード等々、ユーザ識別情報の入力を要求し、該入力されたユーザ識別情報が自己の内部メモリ３０１に格納したデータベースに登録されている場合にのみ当該ユーザのログオンを許容するものである。
【００７０】
図１３は、アクセス履歴データベース８０のデータ形式を示す図である。アクセス履歴データベース８０は、ユーザが本部用コンピュータ３および店舗用コンピュータ３０から運転条件データベース３３または後述の運転状態データベースにアクセスするたびに、日時８１、ユーザ認証によって特定されるユーザ名８２、回数８３、時間８４、系統番号とケース番号からなるショーケース番号８５、運転条件データベース３３または運転状態データベースにアクセスしたかを区別する設定種別８６等を対応付けて記憶したものである。アクセス履歴データベース８０をもとにユーザ別アクセスデータベース９０を作成する。
【００７１】
図１４は、ユーザ別アクセスデータベース９０のデータ形式を示す図である。図１４に示すようにユーザ別アクセスデータベース９０は、ユーザ認証によって特定されるユーザ名９１毎に設定種別９２によってデータベースの系統番号およびケース番号で特定されるショーケースへのアクセス総回数９６または時間帯９４による系統番号およびケース番号で特定されるショーケースのアクセス回数９５を記憶したものである。
【００７２】
実施例３のデータ出力部３６では、図１４のユーザ別アクセスデータベース９０の系統番号およびケース番号で特定されるショーケースのアクセス総回数９６または時間帯９４による系統番号およびケース番号で特定されるショーケースのアクセス回数９５を用いて、ユーザのアクセス回数の多い系統番号およびケース番号で特定されるショーケースの運転条件をユーザ別ショーケースの運転条件一覧画面として編集して出力する。
【００７３】
図１５は、ユーザ別ショーケースの運転条件一覧画面１００を示す図である。ユーザ別ショーケースの運転条件一覧画面１００は、ユーザ認証によってユーザが特定された場合にそのユーザ識別情報に基づいてユーザ別アクセスデータベース９０の検索を行い、該当するユーザ識別情報に対応付けられた情報が存在した場合に、これをユーザ別に個々のショーケースの運転条件１０１をマトリックス形式に編集して表示したものである。ショーケースの運転条件１０１は、系統番号１０２、ケース番号１０３、およびショーケースの運転条件データ１０４である温調設定値、徐霜復帰温度、水切り時間、高温警報温度、および低温警報温度、設定ボタン１０５、および現在時刻１０６等で構成される。ショーケースの運転条件データ１０４は、運転条件データベース３３のショーケースの運転条件データ４３である温調設定値、徐霜復帰温度、水切り時間、高温警報温度、および低温警報温度を編集して表示したものである。
【００７４】
ユーザ別ショーケースの運転条件一覧画面１００は、現在時刻１０６を含む図１４の時間帯９４に示すような時間帯にユーザが本部用コンピュータ３および店舗用コンピュータ３０から運転条件データベース３３の系統番号およびケース番号で特定されるショーケースの運転条件データにアクセスした回数を記憶したアクセス回数９５のデータをアクセス頻度順に並べたものである。
【００７５】
尚、ここでは、アクセス頻度をデータベースへのアクセス回数としているが、データベースに書き換えを行った場合などについては、アクセス回数に重荷付けをして扱ってもよい。アクセス回数でなくデータベースの書き換え回数としてもよい。また、図１５のユーザ別ショーケースの運転条件一覧画面１００では、アクセス回数９５を用いて表示しているが、アクセス総回数９６を用いてもよい。
【００７６】
実施例３によれば、毎日同じ時間に同じショーケースの運転条件を確認または設定しなおす作業を繰り返すユーザは、いつも確認または設定作業を行っているショーケースの運転条件一覧画面１００を自動的に表示させることができるので、ショーケースの運転条件を確認または変更する作業を効率よく行うことができる。
【実施例４】
【００７７】
図１６は、実施例４の店舗用コンピュータ３０′′のブロック図である。店舗用コンピュータ３０′′は、図１２の店舗用コンピュータ３０′の運転条件データベース３３およびユーザ認証部３００を削除し、監視データ収集部１６０と運転状態データベース１６１を新たに加えたものである。
【００７８】
監視データ収集部１６０は、通信部１２を通じて、ショーケースコントローラ２０に対し運転状態データの収集要求を定期的に行い、冷凍機監視制御部２５およびショーケース監視部２４で集めたショーケース１１および冷凍機１２の運転状態データを定期的に運転状態データベース１６１に格納する。
【００７９】
図１７は、実施例４の本部用コンピュータ３′のブロック図である。本部用コンピュータ３′は、図９の本部用コンピュータ３′に監視データ収集部６７を加えたものである。
【００８０】
監視データ収集部６７は、通信部６２を介して店舗用コンピュータ３０に対して運転状態データの収集要求を定期的に行い、収集した運転状態データをメモリ６３にデータベース化して格納する。
【００８１】
図１８は、実施例４の監視ショーケースを選択する画面１１０を示す図である。監視ショーケース選択画面１１０は、表示部３４に表示される。監視ショーケース選択画面１１０でショーケースの系統番号１１１とケース番号１１２を入力して運転状態を監視するショーケースを選択し、表示ボタン１１３をクリックすると、監視ショーケース選択画面１１０で選択したショーケースの運転状態監視一覧画面１２０が示される。
【００８２】
図１９は、選択されたショーケースの運転状態監視一覧画面１２０を示す図である。選択されたショーケースの運転状態一覧画面１２０は、個々のショーケースの運転状態１２１を複数台まとめてマトリックス形式に編集して表示したものである。個々のショーケースの運転状態１２１は、系統番号１２２、ケース番号１２３、およびショーケースの運転状態データ１２４からなる。
【００８３】
ショーケースの運転状態１２１の系統番号１２２とケース番号１２３は、監視ショーケース選択画面１１０で入力した系統番号１１１とケース番号１１２である。ショーケースの運転状態データ１２４は、表示ボタン１１３をクリックするたびに運転状態データベース１６１から最新時刻のデータが送信されて表示される。
【００８４】
実施例４によれば、扉センサが設置されているショーケースを図１８の監視ショーケースを選択する画面１１０で選択して監視すれば、扉センサが設置されているショーケースで扉が開けっ放しになって電力を多く消費していないかを集中的に監視することができる。
【実施例５】
【００８５】
図２０は、実施例５の店舗用コンピュータ３０′′′のブロック図である。実施例５の店舗用コンピュータ３０′′′は、図１６の店舗用コンピュータ３０′′にユーザ認証部３００、アクセス履歴データベース８０とユーザ別アクセスデータベース９０を新たに加え、実施例４に実施例３を組み合わせたものである。
【００８６】
実施例５のアクセス履歴データベース８０は、監視ショーケース選択画面１１０から入力した系統番号１１１とケース番号１１２が入力され、選択されたショーケースの運転状態監視一覧画面１２０を表示するために運転状態データベース１６１にアクセスするたびに、日時８１、ユーザ認証によって特定されるユーザ名８２、回数８３、時間８４、系統番号とケース番号からなるショーケース番号８５、監視の設定種別８６を記憶したものである。アクセス履歴データベース８０をもとにユーザ別アクセスデータベース９０を作成する。
【００８７】
図１４に示すようにユーザ別アクセスデータベース９０は、ユーザ認証によって特定されるユーザ名９１毎に設定種別９２によって系統番号およびケース番号で特定されるショーケースのアクセス総回数９６または時間帯９４による系統番号およびケース番号で特定されるショーケースのアクセス回数９５を記憶したものである。
【００８８】
実施例５のデータ出力部３６では、図１４のユーザ別アクセスデータベース９０の系統番号およびケース番号で特定されるショーケースのアクセス総回数９６または時間帯９４による系統番号およびケース番号で特定されるショーケースのアクセス回数９５を用いて、ユーザのアクセス頻度が高い系統番号およびケース番号で特定されるショーケースの運転状態をユーザ別ショーケースの運転状態監視一覧画面（図示せず）として編集して出力する。
【００８９】
実施例５によれば、毎日同じ時間帯に担当を決めてショーケースの運転状態を監視するような場合、ユーザは、いつも同じショーケースをショーケースの運転状態監視一覧画面で自動的に監視することができるので、監視が効率よく行える。また、機器のメンテナンス担当者が以前、故障や故障に順ずるような状態になった機器を集中的に監視できるため、監視しなければならない機器を取りこぼすことがない。これにより機器のメンテナンス性が向上する。
【産業上の利用可能性】
【００９０】
以上のように、本発明に係る機器管理システムは、複数の機器の運転を一括して管理するに有用であり、特に、複数の機器の運転条件の設定または運転状態の監視を行う機器の保守およびメンテナンス作業に適している。
【図面の簡単な説明】
【００９１】
【図１】本発明に係る機器管理システムの実施例１の構成を示すブロック図である。
【図２】ショーケースコントローラの実施例１のブロック図である。
【図３】店舗用コンピュータの実施例１のブロック図である。
【図４】運転条件データベースのデータ形式を示す図である。
【図５】系統番号「４」に属するショーケースの運転条件一覧画面を示す図である。
【図６】データ入力部の処理を示すフローチャートである。
【図７】自店舗内のショーケースの運転条件を変更する処理を示すフローチャートである。
【図８】データ出力部の処理を示すフローチャートである。
【図９】本部用コンピュータの実施例１のブロック図である。
【図１０】表示ショーケースを選択する画面を示す図である。
【図１１】選択されたショーケースの運転条件一覧画面を示す図である。
【図１２】実施例３の店舗用コンピュータのブロック図である。
【図１３】アクセス履歴データベースのデータ形式を示す図である。
【図１４】ユーザ別アクセスデータベースのデータ形式を示す図である。
【図１５】ユーザ別ショーケースの運転条件一覧画面を示す図である。
【図１６】実施例４の店舗用コンピュータのブロック図である。
【図１７】実施例４の本部用コンピュータのブロック図である。
【図１８】実施例４の監視ショーケースを選択する画面を示す図である。
【図１９】選択されたショーケースの運転状態監視一覧画面を示す図である。
【図２０】実施例５の店舗用コンピュータのブロック図である。
【図２１】従来のネットワークを介してショーケースの運転条件を設定するための画面を示す図である。
【図２２】従来のネットワークを介してショーケースと冷凍機の運転状態を監視するための画面を示す図である。
【符号の説明】
【００９２】
１  機器管理システム
２  ネットワーク
３  本部用コンピュータ
４  ＬＡＮ
１０  冷蔵／冷凍ショーケース
１１  ショーケース
１２  冷凍機
２０  ショーケースコントローラ
２１，３１  制御部
２２，３２  通信部
２３  メモリ
２４  ショーケース監視部
２５  冷凍機監視制御部
３０  店舗用コンピュータ
３１，６１  制御部
３２，６２  通信部
３３  運転条件データベース
３４，６４  表示部
３５，６５  データ入力部
３６，６６  データ出力部
３７  条件データ設定部
３８  条件データ編集部
３９，６３  メモリ
４０，５１，７５，１０１，１２１  ショーケースの運転条件
４１，７１，７６，１０２，１１１，１２２，１４１，１５１  系統番号
４２，７２，７７，１０３，１１２，１２３，１４２  ケース番号
４３，５３，７８，１０４，  ショーケースの運転条件データ
５０  ショーケースの運転条件一覧画面
６７  監視データ収集部
７０  表示するショーケースを選択する画面
７３、７９、１０５，１１３，１４５，１５４  設定ボタン
７４  選択されたショーケースの運転条件一覧画
８０  アクセス履歴データベース
８１  日時
８２，９１  ユーザ名
８３，９５  アクセス回数
８４  アクセス時間
８５  ショーケース番号
８６，９２  設定種別
９０  ユーザ別アクセスデータベース
９４  時間帯
９６  アクセス総回数
１００  ユーザ別ショーケースの運転条件一覧画面
１０６  現在時刻
１１０  監視ショーケースを選択する画面
１２０  選択したショーケースの運転状態監視一覧画面
１２４  ショーケースの運転状態データ
１４０  ショーケースの運転条件を設定するための画面
１４３  ショーケースの運転条件
１４４  読出しボタン
１５０  ショーケースと冷凍機の運転状態を監視するための画面
１５２  ショーケースの状態表示欄
１５３  冷凍機の状態表示欄
１６０  監視データ収集部
１６１  運転状態データベース
【図１】
2005147477.tif 000003
【図２】
2005147477.tif 000004
【図３】
2005147477.tif 000005
【図４】
2005147477.tif 000006
【図５】
2005147477.tif 000007
【図６】
2005147477.tif 000008
【図７】
2005147477.tif 000009
【図８】
2005147477.tif 000010
【図９】
2005147477.tif 000011
【図１０】
2005147477.tif 000012
【図１１】
2005147477.tif 000013
【図１２】
2005147477.tif 000014
【図１３】
2005147477.tif 000015
【図１４】
2005147477.tif 000016
【図１５】
2005147477.tif 000017
【図１６】
2005147477.tif 000018
【図１７】
2005147477.tif 000019
【図１８】
2005147477.tif 000020
【図１９】
2005147477.tif 000021
【図２０】
2005147477.tif 000022
【図２１】
2005147477.tif 000023
【図２２】
2005147477.tif 000024